(57)【要約】結束が容易な鼻パッドが備えられたメガネに係り、さらに詳細には、メガネフレームに構成される鼻パッドをクリングスと結束させるとき、手軽に結束し、結束力を高めた結束が容易な鼻パッドが備えられたメガネに係り、メガネフレームに構成されるクリングスに鼻パットを結束するにおいて、クリングスと連結される鼻パッドの一側に空間部を形成した第１突出部及び第２突出部をそれぞれ形成した後、空間部にクリングスが引き入れられて嵌め込まれるようにし、結束部材を利用して、鼻パッドをクリングスに結束することができるようにし、手軽に結束し、結束力を高めた、結束が容易な鼻パッドが備えられたメガネを提供するところに主眼点をおき、メガネフレームのクリングスに連結され、ユーザの鼻背に載置される鼻パッドをクリングスに結束するとき、結束力を高めることができ、鼻パッドとクリングスと連結構造を簡単にして手軽に結束することができるようにし、前記鼻パッドとクリングスとを連結する結束部材によって、鼻パッドがユーザの鼻背に載置されるとき、遊動が容易であって載置力を上昇させ、鼻パッドとクリングスとの結束時、溶接のような別途の工程を経る必要がない、結束が容易な鼻パッドが備えられたメガネである。【選択図】図４
2017529571.tif 000002
【特許請求の範囲】
【請求項１】
一側は、メガネフレームと連結され、他側は、鼻パッドと連結されるクリングスを結束部材で結束するメガネにおいて、
前記鼻パッド１００の一側には、一側方向に突出部１１０を形成するが、相互一定間隔離隔され、空間部１２０を形成し、貫通孔１３０がそれぞれ形成された第１突出部１１１及び第２突出部１１２が形成され、
前記クリングス２００の一側には、前記鼻パッド１００の空間部１２０に嵌めこまれ、前記第１突出部１１１及び第２突出部１１２に形成された貫通孔１３０と同一形状の貫通孔２３０が形成される突出部２１０が形成され、
前記鼻パッド１００の貫通孔１３０と、クリングス２００の貫通孔２３０とを貫通して結束される結束部材３００が構成され、
前記鼻パッド１００の空間部１２０にクリングス２００の突出部２１０が嵌め込まれて結束部材３００で結束された後、前記鼻パッド１００が結束部材３００を中心に回転自在であるが、
前記クリングス２００の突出部２１０は、前記鼻パッド１００の第１突出部１１１及び第２突出部１１２に形成された貫通孔１３０と同一形状の貫通孔２３０が形成され、緩衝自在なスプリング２１０ａに形成されていることを特徴とする結束が容易な鼻パッドが備えられたメガネ。
【請求項２】
前記鼻パッド１００の第１突出部１１１及び第２突出部１１２の間に形成された空間部１２０には、前記第１突出部１１１及び第２突出部１１２を相互連結するストップバー１２１が一定間隔形成されることを特徴とする請求項１に記載の結束が容易な鼻パッドが備えられたメガネ。
【請求項３】
前記ストップバー１２１は、鼻パッド１００の第１突出部１１１及び第２突出部１１２の外周一側から外側方向に一定間隔突出して形成されることを特徴とする請求項２に記載の結束が容易な鼻パッドが備えられたメガネ。
【請求項４】
前記鼻パッド１００及びクリングス２００に形成されるそれぞれの貫通孔１３０，２３０は、結束される結束部材３００の外形によって、円形または多角形に形成されることを特徴とする請求項１に記載の結束が容易な鼻パッドが備えられたメガネ。
【発明の詳細な説明】
【技術分野】
【０００１】
本発明は、結束が容易な鼻パッドが備えられたメガネに係り、さらに詳細には、メガネフレームに構成される鼻パッドをクリングスと結束させるとき、手軽に結束し、結束力を高めた結束が容易な鼻パッドが備えられたメガネに関する。
【背景技術】
【０００２】
メガネの鼻当ては、着用者の鼻背に直接密着する鼻当てと、鼻当てをメガネフレームに連結する連結具（クリングス）とに区分され、該連結具は、メガネ鼻当ての後ろ側、及びメガネフレームのブリッジまたはその下端で、レンズ固定リムに溶着結合される。
【０００３】
前述のように構成されるメガネは、メガネの使用中に最も多くの故障を誘発する部分も、メガネの鼻当てをメガネフレームに結合する連結具部分である。
【０００４】
すなわち、メガネ鼻当てをメガネフレームに連結する連結具は、細い針金をバンディングし、その端部をメガネフレームに溶着結合して形成され、それは、メガネ着用者の鼻の形態によって、鼻当ての位置及び支え角度などを矯正し、着用者が楽な着用心地を感じることができるように容易に反ることができる材質の細い針金を使用する。
【０００５】
また、鼻当てを結合する連結具は、メガネの着用中にも、メガネによる荷重や、外部衝撃によって、容易に変形されるので、メガネ着用者及びメガネ店では、連結具のバンディングされた形態などを随時に矯正して使用する。
【０００６】
従って、前述のように、ひんぱんな矯正及び補正による損傷、並びに外部衝撃によって、鼻当ての連結具は、容易に折れてしまう。
【０００７】
また、前述のように、連結具がメガネフレームに溶接結合されることにより、連結具が折れたメガネは、連結具を再びメガネフレームに溶接して修理しなければならないが、メガネ店で修理が不可能になるという問題点がある。
【０００８】
すなわち、メガネ店では、メガネ溶接のための装置が具備されていないだけではなく、具備されているとしても、連結具をメガネフレームに溶接結合すれば、メガネフレームは、溶接熱によって、メガネフレームに表面処理された色相やパターンなどがさらに損傷されるので、再溶接したメガネフレームに対して、さらにパターン処理と表面処理とを行わなければならず、メガネの修理が困難になる。
【０００９】
従って、連結具が溶接結合されたメガネは、メガネ店及びユーザが修理することができないので、それを修理するためには、メガネの製造工場、または専門的にメガネを修理するところに行かせなければならないというような、メガネの修理に、時間及び労力の浪費がはなはだしいという欠点があった。
【００１０】
一方、メガネレンズの外周周囲全体をレンズ固定リムが密着し、メガネレンズを固定するフルリム（full rim）メガネは、レンズ固定リムの内側にメガネレンズを固定するレンズ固定溝を形成し、メガネレンズをレンズ固定溝に投入して固定したり、メガネレンズの外周周囲に、円周面に沿って固定溝を形成し、厚みが薄いレンズ固定リムがレンズ固定溝に投入されるようにし、メガネレンズを固定する。
【００１１】
すなわち、レンズ固定リムの内側にレンズ固定溝を形成したものは、メガネレンズの周囲が、レンズ固定溝外側の周囲より大きく形成され、メガネレンズが、レンズ固定溝に投入されれば離脱が防止される。
【００１２】
また、レンズ固定リムが、メガネレンズの固定溝内側に投入されるものも、メガネレンズの固定溝外側は、レンズ固定リムの内径より大きく形成されることにより、レンズ固定リムの周囲が、メガネレンズの固定溝に投入されて固定される。
【００１３】
前述のように、レンズ固定リムにメガネレンズが結合されるものは、レンズの周囲がレンズ固定リムの内径より大きく形成される。
【００１４】
従って、メガネレンズをレンズ固定リムに結合するためには、レンズ固定リムに、上下１対のレンズ固定口を溶着して結合し、レンズ固定口の中心において、レンズ固定リムとレンズ固定口とを同時にカットティングし、カットティング部が広がるようにし、レンズ固定リムの内側において、メガネレンズの周囲が嵌め込まれるようにし、カットティングされた上下レンズ固定口を固定ねじで結合し、メガネレンズをレンズ固定リムに固定するが、それは、レンズ固定リムに、別途のレンズ固定口を溶着して形成しなければならないので、その作業が煩わしくて不便であり、生産性が低下するという欠点があった。
【００１５】
前記従来技術に係わる資料は、韓国公開実用新案実１９９８−０５７４６８号の「メガネフレーム」と、韓国登録実用２０−０４１９６１４号の「左右調節が可能な組み込み式鼻当てを結合したプラスチック射出成形メガネフレーム」、及び韓国登録実用新案２０−０４５３１３６号の「鼻当て連結具を有した組み込み式メガネ」が開示されている。
【発明の概要】
【発明が解決しようとする課題】
【００１６】
本発明は、前述の従来技術の問題点を解決するために案出されたものであり、メガネフレームに構成されるクリングスに鼻パッドを結束するにおいて、前記クリングスと連結される鼻パッドの一側に空間部を形成した第１突出部及び第２突出部をそれぞれ形成した後、前記空間部にクリングスが引き入れられて嵌め込まれるようにし、結束部材を利用して、鼻パッドをクリングスに結束することができるようにして手軽に結束し、結束力を高めた結束が容易な鼻パッドが備えられたメガネを提供するところに主眼点を置き、技術的課題として完成した。
【課題を解決するための手段】
【００１７】
前述の課題を達成するための本発明によれば、一側は、メガネフレームと連結され、他側は、鼻パッドと連結されるクリングスを結束部材で結束するメガネにおいて、前記鼻パッド１００の一側には、一側方向に突出部１１０を形成するが、相互一定間隔離隔され、空間部１２０を形成し、貫通孔１３０がそれぞれ形成された第１突出部１１１及び第２突出部１１２が形成され、前記クリングス２００の一側には、前記鼻パッド１００の空間部１２０に嵌めこまれ、前記第１突出部１１１及び第２突出部１１２に形成された貫通孔１３０と同一形状の貫通孔２３０が形成される突出部２１０が形成され、前記鼻パッド１００の貫通孔１３０と、クリングス２００の貫通孔２３０とを貫通して結束される結束部材３００が構成され、前記鼻パッド１００の空間部１２０に、クリングス２００の突出部２１０が嵌め込まれて結束部材３００で結束された後、前記鼻パッド１００が結束部材３００を中心に回転自在であることを特徴とする結束が容易な鼻パッドが備えられたメガネと、
本発明の他の実施形態である、一側は、メガネフレームと連結され、他側は、鼻パッドと連結されるクリングスを結束部材で結束するメガネにおいて、前記クリングス２００の一側には、一側方向に突出部２１０を形成するが、相互一定間隔離隔され、空間部２２０を形成し、貫通孔２３０がそれぞれ形成された第１突出部２１１及び第２突出部２１２が形成され、前記鼻パッド１００の一側には、前記クリングス２００の空間部１２０に嵌めこまれ、前記第１突出部２１１及び第２突出部２１２に形成された貫通孔２３０と同一形状の貫通孔１３０が形成される突出部１１０が形成され、前記クリングス２００の貫通孔２３０と、鼻パッド１００の貫通孔１３０とを貫通して結束される結束部材３００が構成され、前記クリングス２００の突出部２２０に鼻パッド１００の突出部１１０が嵌め込まれて結束部材３００で結束された後、前記鼻パッド１００が結束部材３００を中心に回転自在であることを特徴とする結束が容易な鼻パッドが備えられたメガネを提供することにより、その課題を解決する。
【発明の効果】
【００１８】
本発明による、結束が容易な鼻パッドが備えられたメガネによれば、メガネフレームのクリングスに連結され、ユーザの鼻背に載置される鼻パッドを前記クリングスに結束するとき、結束力を高めることができ、鼻パッドとクリングスとの連結構造を簡単にして手軽に結束することができるようにし、前記鼻パッドとクリングスとを連結する結束部材によって、鼻パッドがユーザの鼻背に載置されるとき、遊動が容易であって載置力を上昇させ、鼻パッドとクリングスとの結束時、溶接のような別途の工程を減る必要がないというような効果が非常に大きい発明とする。
【図面の簡単な説明】
【００１９】
【図１】本発明であるメガネを示す斜視図である。
【図２】本発明であるメガネの構成のうちクリングスと鼻パッドとを示す斜視図である。
【図３】本発明の核心構成であるクリングスと鼻パッドとを示す側面図である。
【図４】図３の連結を示す側面図である。
【図５】図３の鼻パッドを示す側面図である。
【図６】図５のＡとＢとを示す断面図である。
【図７】図６のストップバーに係わる他の実施例を示す平面図である。
【図８】図３の他の実施例を示す側面図である。
【図９】図８の連結を示す側面図である。
【図１０】図８のクリングスを示す側面図である。
【図１１】図１０のＡとＢとを示す断面図である。
【図１２】図１１のストップバーに係わる他の実施例を示す平面図である。
【図１３】図３の突出部に係わる他の実施例を示す側面図である。
【発明を実施するための形態】
【００２０】
本発明である、結束が容易な鼻パッドが備えられたメガネについて説明すれば、まず、本発明は、一側は、メガネフレームと連結され、他側は、鼻パッドと連結されるクリングスを結束部材で結束するメガネにおいて、前記鼻パッド１００の一側には、一側方向に突出部１１０を形成するが、相互一定間隔離隔され、空間部１２０を形成し、貫通孔１３０がそれぞれ形成された第１突出部１１１及び第２突出部１１２が形成され、前記クリングス２００の一側には、前記鼻パッド１００の空間部１２０に嵌めこまれ、前記第１突出部１１１及び第２突出部１１２に形成された貫通孔１３０と同一形状の貫通孔２３０が形成される突出部２１０が形成され、前記鼻パッド１００の貫通孔１３０と、クリングス２００の貫通孔２３０とを貫通して結束される結束部材３００が構成され、前記鼻パッド１００の空間部１２０にクリングス２００の突出部２１０が嵌め込まれて結束部材３００で結束された後、前記鼻パッド１００が結束部材３００を中心に回転可能である。
【００２１】
前記鼻パッド１００の第１突出部１１１及び第２突出部１１２の間に形成された空間部１２０には、前記第１突出部１１１及び第２突出部１１２を相互連結するストップバー１２１が一定間隔形成される。
【００２２】
前記ストップバー１２１は、鼻パッド１１０の第１突出部１１１及び第２突出部１１２の外周一側において、外側方向に一定間隔延長されて突出されて形成されてもよい。
【００２３】
前記クリングス２００の突出部２１０は、前記鼻パッド１００の第１突出部１１１及び第２突出部１１２に形成された貫通孔１３０と同一形状の貫通孔２３０が形成され、緩衝自在なスプリング２１０ａによって形成されている。
【００２４】
本発明の他の実施例は、一側は、メガネフレームと連結され、他側は、鼻パッドと連結されるクリングス２００を結束部材で結束するメガネにおいて、前記クリングス２００の一側には、一側方向に突出部２１０を形成するが、相互一定間隔離隔され、空間部２２０を形成し、貫通孔２３０がそれぞれ形成された第１突出部２１１及び第２突出部２１２が形成され、前記鼻パッド１００の一側には、前記クリングス２００の空間部１２０に嵌めこまれ、前記第１突出部２１１及び第２突出部２１２に形成された貫通孔２３０と同一形状の貫通孔１３０が形成される突出部１１０が形成され、前記クリングス２００の貫通孔２３０と、鼻パッド１００の貫通孔１３０とを貫通して結束される結束部材３００が構成され、前記クリングス２００の突出部２２０に鼻パッド１００の突出部１１０が嵌め込まれて結束部材３００で結束された後、前記鼻パッド１００が結束部材３００を中心に回転可能である。
【００２５】
前記クリングス２００の第１突出部２１１及び第２突出部２１２の間に形成された空間部２２０には、前記第１突出部２１１及び第２突出部２１２を相互連結するストップバー２２１が一定間隔形成される。
【００２６】
前記ストップバー２２１は、クリングス２００の第１突出部２１１及び第２突出部２１２の外周一側から外側方向に一定間隔延長されて突出してもよい。
【００２７】
前記鼻パッド１００及びクリングス２００にそれぞれ形成される突出部１１０，２１０とストップバー１２１，２２１は、一体型または分離型に構成されてもよい。
【００２８】
前記鼻パッド１００及びクリングス２００に形成されるそれぞれの貫通孔１３０，２３０は、結束される結束部材３００の外形によって、円形または多角形に形成されてもよい。
【００２９】
ここで、本発明である、結束が容易な鼻パッドが備えられたメガネについて、図１ないし図１３を参照し、さらに詳細に説明すれば、メガネとは、メガネフレーム２０と、テンプルとが連結構成され、前記メガネフレーム２０には、相互対応して一定間隔離隔されたレンズが１対をなしながら構成される。
【００３０】
また、メガネを着用するユーザの便宜のために、メガネフレーム２０の一側には、ユーザの鼻背に載置される鼻パッドがクリングスと連結されて構成されるのが一般的である。
【００３１】
ここで、本発明の核心は、前述のメガネの構成のうち、クリングスと鼻パッドとの連結時、結束力を高め、手軽に結束することができるクリングスと鼻パッドとを発明したことである。
【００３２】
それにより、本発明について、図１ないし図６、及び図１３を参照して説明すれば、まず、鼻パッド１００は、一側に突出部１１０が形成される。
【００３３】
図３ないし図６、及び図１３に図示されているように、前記突出部１１０の場合、相互一定間隔離隔され、中心部に空間部１２０を形成し、それぞれの貫通孔１３０が形成された第１突出部１１１及び第２突出部１１２によって形成される。
【００３４】
前記第１突出部１１１及び第２突出部１１２は、後述するクリングス２００の突出部２１０を空間部１２０に嵌め込んだ後、前記突出部２１０の上下側で離脱しないように支持する役割を行うと同時に、以下で説明する結束部材３００で連結し、クリングス２００に連結される鼻パッド１００を遊動自在にしたものである。
【００３５】
図５、図６を参照して説明すれば、前記鼻パッド１００の第１突出部１１１及び第２突出部１１２の間に形成された空間部１２０には、前記第１突出部１１１及び第２突出部１１２を相互連結するストップバー１２１が一定間隔形成される。
【００３６】
前記ストップバー１２１の場合、クリングス２００の突出部２１０が、鼻パッド１００の空間部１２０に嵌め込まれた後、遊動するとき、一定方向に回転した後、突っ掛かるようにしたものである。
【００３７】
それは、鼻パッド１００の特性上、左右側にそれぞれ構成されることによって、鼻背に位置するとき、、一定角度を維持するが、前記ストップバー１２１は、前述の一定角度を維持するためものことである。
【００３８】
また、図７を参照して説明すれば、ストップバー１２１は、前述のように、空間部１２０に形成されてもよいが、前記鼻パッド１００の第１突出部１１１及び第２突出部１１２の外周一側から外側方向に、一定間隔突出して形成されてもよい。
【００３９】
図３ないし図５を参照して説明すれば、クリングス２００は、一側に、前記鼻パッド１００の空間部１２０に嵌め込まれる突出部２１０が形成される。
【００４０】
前記突出部２１０には、前記鼻パッド１００の第１突出部１１１及び第２突出部１１２に形成された貫通孔１３０と同一形状の貫通孔２３０が形成されている。
【００４１】
図１３を参照して説明すれば、前述のクリングス２００の突出部２１０は、前記鼻パッド１００の第１突出部１１１及び第２突出部１１２に形成された貫通孔１３０と同一形状の貫通孔２３０が形成され、緩衝自在なスプリング２１０ａによって形成することもできる。
【００４２】
結束部材３００は、前記鼻パッド１００の第１突出部１１１及び第２突出部１１２にそれぞれ形成された貫通孔１３０と、クリングス２００の貫通孔２３０とを貫通して結束される。
【００４３】
本発明の他の実施例について、図１、図２、図８ないし図１２を参照して説明すれば、まず、鼻パッド１００は、一側に突出部１１０が形成される。
【００４４】
前記突出部１１０には、前記クリングス２００の第１突出部２１１及び第２突出部２１２に形成された貫通孔２３０と同一形状の貫通孔１３０が形成されている。
【００４５】
図８、図９を参照して説明すれば、クリングス２００は、一側に、前記鼻パッド１００の空間部１２０に嵌め込まれる突出部２１０が形成される。
【００４６】
前記突出部２１０の場合、相互一定間隔離隔され、中心部に空間部２２０を形成し、それぞれの貫通孔２３０が形成された第１突出部２１１及び第２突出部２１２によって形成される。
【００４７】
前記第１突出部２１１及び第２突出部２１２は、前述の鼻パッド１００の突出部１１０を空間部２２０に嵌め込んだ後、前記突出部１１０の上下側に離脱しないように支持する役割を行うと同時に、後述する結束部材３００で連結し、クリングス２００に連結される鼻パッド１００を遊動自在にするものである。
【００４８】
図１０、図１１を参照して説明すれば、前記クリングス２００の第１突出部２１１及び第２突出部２１２の間に形成された空間部２２０には、前記第１突出部２１１及び第２突出部２１２を相互連結するストップバー２２１が一定間隔形成される。
【００４９】
前記ストップバー２２１の場合、鼻パッド１００の突出部１１０が、クリングス２００の空間部２２０に嵌め込まれた後、遊動するとき、一定方向に回転した後、突っ掛かるようにしたものである。
【００５０】
それは、鼻パッド１００の特性上、左右側にそれぞれ構成されることによって、鼻背に位置するとき、一定角度を維持するが、前記ストップバー２２１は、前述の一定角度を維持するためものことである。
【００５１】
さらに、図１２を参照して説明すれば、ストップバー２２１は、前述のように、空間部２２０に形成されてもよいが、前記クリングス２００の第１突出部２１１及び第２突出部２１２の外周一側から外側方向に一定間隔突出して形成されてもよい。
【００５２】
結束部材３００は、前記クリングス２００の第１突出部２１１及び第２突出部２１２にそれぞれ形成された貫通孔２３０と、鼻パッド１００の貫通孔１３０とを貫通して結束される。
【００５３】
本発明、及び本発明の他の実施形態について共通して説明すれば、前述の鼻パッド１００及びクリングス２００に形成されるそれぞれの貫通孔１３０，２３０は、結束される結束部材３００の外形によって、円形または多角形に形成される。
【００５４】
それは、それぞれの貫通孔１３０，２３０の形状によって、前記結束部材３００の外形を円形または多角形に形成して結束力を高めたのである。
【００５５】
また、結束部材３００の場合、上側には、頭部と、下側には、突っ掛かり部とをそれぞれ形成し、それぞれの貫通孔１３０，２３０に貫通されて結束された結束部材３００が手軽に離脱することを未然に防止した。
【００５６】
前記鼻パッド１００及びクリングス２００にそれぞれ形成される突出部１１０，２１０と、ストップバー１２１，２２１は、一体型または分離型に構成される。
【００５７】
それは、鼻パッド１００に構成される突出部１１０及びストップバー１２１を鼻パッド１００を形成することにより、一体型で形成することもできるが、分離型に構成し、クリングス２００の結束構造によって可変しながら使用するようにしたのである。
【００５８】
また、クリングス２００に構成される突出部２１０及びストップバー２２１も、クリングス２００を形成することにより、一体型に形成することもできるが、分離型に構成し、鼻パッド１００の結束構造によって、可変しながら使用するようにしたのである。
【００５９】
前述の本発明によれば、メガネフレーム２０のクリングス２００に連結されてユーザの鼻背に載置される鼻パッド１００を、前記クリングス２００に結束するとき、結束力を高めることができ、鼻パッド１００及びクリングス２００の連結構造を簡単にし、手軽に結束することができるようにし、前記鼻パッド１００及びクリングス２００を連結する結束部材３００によって、鼻パッド１００がユーザの鼻背に載置されるとき、遊動が容易であって載置力を上昇させ、鼻パッド１００及びクリングス２００の結束時、溶接のような別途の工程を経ずとも、良好な効果を有する発明である。
【図１】
2017529571.tif 000003
【図２】
2017529571.tif 000004
【図３】
2017529571.tif 000005
【図４】
2017529571.tif 000006
【図５】
2017529571.tif 000007
【図６（Ａ）】
2017529571.tif 000008
【図６（Ｂ）】
2017529571.tif 000009
【図７】
2017529571.tif 000010
【図８】
2017529571.tif 000011
【図９】
2017529571.tif 000012
【図１０】
2017529571.tif 000013
【図１１（Ａ）】
2017529571.tif 000014
【図１１（Ｂ）】
2017529571.tif 000015
【図１２】
2017529571.tif 000016
【図１３】
2017529571.tif 000017
【国際調査報告】
2017529571.tif 000018
2017529571.tif 000019
2017529571.tif 000020
2017529571.tif 000021